(57)【特許請求の範囲】
【請求項１】
栽培される種子を示す値の入力を受け付ける種子識別情報入力手段と、
入力された種子が発芽した各植物個体に対し、この植物個体を示す値を取得する植物個体識別情報取得手段と、
交配させる植物個体を示す値の入力を受け付ける植物個体識別情報入力手段と、
入力された植物個体の交配によって得られた新たな品種の種子である新種子に対し、この新種子を示す値を取得する新種子識別情報取得手段と、
この新種子の保管場所を示す情報を取得する保管場所情報取得手段と、
プロジェクトデータベースとして、栽培される種子を示す値と、交配の対象となった各植物個体を示す値と、新種子を示す値と、新種子が得られる工程に係る情報と、を互いに関連付けて登録するプロジェクトデータベース管理手段と、
種子データベースとして、新種子を示す値と、交配の対象となった各植物個体を示す値と、新種子の保管場所と、を互いに関連付けて登録する種子データベース管理手段と、
プロジェクトデータベースの内容を記憶するプロジェクトデータベース記憶手段と、
種子データベースの内容を記憶する種子データベース記憶手段と、
ラベルを読み込むラベル読込手段と、
ラベルを出力するラベル出力手段と、
ユーザによって実行されたプロジェクトの工程に関係付けて、前記ラベル出力手段に対し、種子名を含むラベルの出力を指示するプロジェクト管理手段と
を含み、
前記プロジェクトデータベース管理手段は、前記プロジェクト管理手段及び前記ラベル出力手段によって出力されるラベルの内容を、さらに関連付けてプロジェクトデータベースに登録し、
前記プロジェクト管理手段は、一つ前の工程において前記ラベル出力手段によって出力されたラベルが、前記ラベル読込手段によって読み込まれた場合に、前記ラベル出力手段に対して、前記ラベル読込手段によって読み込まれた前記ラベルに含まれる種子名に応じて本工程におけるラベルの実行を指示する
植物情報管理システム。
【請求項２】
任意の種子の品種に係る遺伝子情報の入力を受け付ける遺伝子情報入力手段をさらに含み、
前記種子データベース管理手段は、入力された遺伝子情報をさらに前記種子データベースに登録する
請求項１に記載の植物情報管理システム。
【請求項３】
前記種子を栽培するための圃場について、各植物個体を栽培するための区画が使用されているか否かを示す情報を記憶する圃場データベース記憶手段と、
ユーザに対し、前記圃場データベース記憶手段の記憶内容に基づき、各圃場の区画について使用されているか否かを示す圃場データベース管理手段と
をさらに含む請求項１に記載の植物情報管理システム。
【請求項４】
前記プロジェクトデータベース管理手段は、前記新種子が得られる工程に係る情報として、当該新種子を得るためのプロジェクトの計画日、前記プロジェクトにおける移植の工程の実行日を示す定植日、出穂日、収穫日を管理し、ユーザの入力に応じて画像表示装置に前記プロジェクトデータベースの情報を出力する、請求項１に記載の植物情報管理システム。
【請求項５】
前記種子識別情報入力手段により入力された値に係る種子について、前記プロジェクトデータベース及び種子データベースに関連付けられた複数の情報を出力する出力手段をさらに含む、請求項１に記載の植物情報管理システム。
【請求項６】
プロジェクトデータベースの内容を記憶するプロジェクトデータベース記憶手段と、種子データベースの内容を記憶する種子データベース記憶手段と、ラベルを読み込むラベル読込手段と、ラベルを出力するラベル出力手段と、を備える情報処理装置が、栽培される種子を示す値の入力を受け付けるステップと、
前記情報処理装置が、入力された種子が発芽した各植物個体に対し、この植物個体を示す値を取得するステップと、
前記情報処理装置が、交配させる植物個体を示す値の入力を受け付けるステップと、
前記情報処理装置が、入力された植物個体の交配によって得られた新たな品種の種子である新種子に対し、この新種子を示す値を取得するステップと、
前記情報処理装置が、この新種子の保管場所を示す情報を取得するステップと、
前記情報処理装置が、プロジェクトデータベースとして、栽培される種子を示す値と、交配の対象となった各植物個体を示す値と、新種子を示す値と、新種子が得られる工程に係る情報と、を互いに関連付けて登録するステップと、
前記情報処理装置が、種子データベースとして、新種子を示す値と、交配の対象となった各植物個体を示す値と、新種子の保管場所と、を互いに関連付けて登録するステップと、
前記情報処理装置が、ユーザによって実行されたプロジェクトの工程に関係付けて、前記ラベル出力手段に対し、種子名を含むラベルの出力を指示するステップと、
前記情報処理装置が、出力されるラベルの内容を、前記プロジェクトデータベースに、各情報と関連付けて登録するステップと、
前記情報処理装置が、前記ラベル読込手段を介したラベルの読み込みを受け付けるステップと、
前記情報処理装置が、一つ前の工程において前記ラベル出力手段によって出力されたラベルが、前記ラベル読込手段によって読み込まれた場合に、前記ラベル出力手段に対して、前記ラベル読込手段によって読み込まれた前記ラベルに含まれる種子名に応じて本工程におけるラベルの実行を指示するステップと、
を含む植物情報管理方法。
【請求項７】
前記情報処理装置が、任意の種子の品種に係る遺伝子情報の入力を受け付ける遺伝子情報受付ステップと、
前記情報処理装置が、入力された遺伝子情報を、前記種子データベースに、各情報と関連付けて登録するステップと、
をさらに含む請求項６に記載の植物情報管理方法。
【請求項８】
前記情報処理装置は、前記種子を栽培するための圃場について、各植物個体を栽培するための区画が使用されているか否かを示す情報を記憶する圃場データベース記憶手段をさらに備え、
前記情報処理装置が、ユーザに対し、前記圃場データベース記憶手段の記憶内容に基づき、各圃場の区画について使用されているか否かを示すステップをさらに含む請求項６に記載の植物情報管理方法。
【請求項９】
前記情報処理装置が、前記プロジェクトデータベースに、前記新種子が得られる工程に係る情報として、当該新種子を得るためのプロジェクトの計画日、前記プロジェクトにおける移植の工程の実行日を示す定植日、出穂日、収穫日を登録するステップと、
前記情報処理装置が、ユーザの入力に応じて画像表示装置に前記プロジェクトデータベースの情報を出力するステップと、
をさらに含む、請求項６に記載の植物情報管理方法。
【請求項１０】
前記情報処理装置が、入力された値に係る種子について、前記プロジェクトデータベース及び種子データベースに関連付けられた複数の情報を出力するステップをさらに含む、請求項６に記載の植物情報管理方法。
【発明の詳細な説明】
【技術分野】
【０００１】
本発明は、植物情報管理システム及び植物情報管理方法に関する。
【背景技術】
【０００２】
同一生物種に属するが、遺伝的構成が異なるために、ある形質において他の集団と異なる集団を品種という。すなわち、同じ種類の植物であったとしても、品種により、栽培の難易性や病虫害に対する抵抗性、収量、品質等が異なる。このため、農作物、特にイネやムギ類等の主要な作物においては、より優良な品種を得るための品種改良が古くから行われており、近年では、種苗会社等のみならず、国や県等の公的機関においても積極的に行われてきている。また、近年の消費者の嗜好の多様性に応えるべく、食用作物以外にも、草花等の園芸用作物等においても、多様な色や形態を備えた新品種の開発が盛んである。さらに、近年、バイオマスエタノール等の原料として、植物系資源に注目が集まっており、より資源効率の高い新品種の開発も期待されている。
【０００３】
多くの植物は種子により同一品種の植物個体の再生産を容易に行うことができる。したがって、新品種開発には種子の保存・管理が極めて重要である。特に、同一生物種の種子は、通常は品種に関わらずほぼ同じ形態であるため、外観から品種を識別することは事実上不可能に近い。このため、複数の品種の種子を誤って混在させてしまった場合には、ある種子がいずれの品種の種子であるかを特定するためには、再度その種子を播いて育成し、品種に特徴的な形質を有するか否かを確認しなければならず、多大な労力と時間を要することになる。このような種子の取り違え等が生じないように、種子は適切に保管・管理される必要があり、より有効で簡便な種子の管理システムの開発が望まれている。
【０００４】
また、種子を適正に管理するためには、種子を保管するだけではなく、種子を播いて栽培して得られた植物個体も、植物個体ごとに識別し管理する必要が生じる場合がある。該植物個体から次世代の種子が採取されるためである。特に、新品種開発を目的とする試験場等のように、一の圃場において複数品種が栽培されている場合や、非常に多くの種類の品種の植物個体を栽培する場合には、植物個体ごとの管理が極めて重要となる。
【０００５】
さらに、植物等を栽培する場合には、栽培されている植物を特定するために、該植物の情報が記載されたタグ等のラベルを付する。従来は、該ラベルの植物情報は、手書きで記載されているため、書き間違いや読み間違い等が生じ易く、このため、植物個体の品種の誤認や、植物個体の取り違い等が起こり易いという問題があった。
【０００６】
そこで、一の圃場において栽培される植物個体を識別して管理し得る圃場管理と種子管理を行うことができ、かつ、各植物個体の栽培工程及び解析工程において、品種等の誤認を防止し得るシステムがあれば、新品種開発に大きく資するものと考えられる。
【０００７】
植物や圃場の管理については、多くのシステムや方法が開示されている。例えば、（１）施肥、防除の実績情報を含んだ農作物の品質トレーサビリティが可能であって、農作業の合間に実績データを入力可能な農作物品質管理システムが開示されている（例えば、引用文献１参照。）。また、（２）栽培農産物が栽培地管理フィールド内の複数各地点における気象観測、栽培環境データを収集しモニタリングするために配設したフィールドサーバ群を用いて、収穫された農産物を追跡し、収穫された農産物と、購入した農産物とが同一であることを確認できる植物個体認証・追跡システムが開示されている（例えば、引用文献２参照。）。その他、（３）ＩＣタグを植物体に取り付けることによって植物個体を識別することを特徴とする植物管理方法が開示されている（例えば、引用文献３参照。）。
【特許文献１】特開２００５−３１７５７号公報
【特許文献２】特開２００６−１４６５７０号公報
【特許文献３】特開２００６−１１５７６８号公報
【発明の開示】
【発明が解決しようとする課題】
【０００８】
しかしながら、上記（１）や（２）のシステムでは、土壌条件等の圃場の管理を行うことはできるが、一の圃場において生産された各農作物を識別することはできない。これらのシステムは、市場に流通する農作物等のように、一の圃場において単一品種の植物を生産し、かつ各植物個体はほぼ同等であり、特段区別する必要のない場合を想定しているためである。また、これらのシステムでは、各植物個体から採取された種子を識別し管理することはできない。上記（１）や（２）のシステムでは、各農作物が生産され消費者の手元に届くまでの経路を管理対象として想定しており、世代間の情報を管理することについては一切想定していないためである。同様に、上記（３）の方法によっても、植物個体ごとに識別することができるが、各植物個体から採取された種子を識別し管理することはできない。このため、数万個の植物個体の種子を個別に管理する必要が生じる育種や遺伝子研究等においては、十分に有効な方法とは言い難い。
【０００９】
本発明は、栽培される植物個体の種子について、その親に関する情報及びその種子が得られる過程についての情報を容易に取得することが可能となるシステムや方法を提供することを目的とする。
【課題を解決するための手段】
【００１０】
本発明の第一の態様は、植物情報管理システムであって、栽培される種子を示す値の入力を受け付ける種子識別情報入力手段と、入力された種子が発芽した各植物個体に対し、この植物個体を示す値を取得する植物個体識別情報取得手段と、交配させる植物個体を示す値の入力を受け付ける植物個体識別情報入力手段と、入力された植物個体の交配によって得られた新たな品種の種子である新種子に対し、この新種子を示す値を取得する新種子識別情報取得手段と、この新種子の保管場所を示す情報を取得する保管場所情報取得手段と、プロジェクトデータベースとして、栽培される種子を示す値と、交配の対象となった各植物個体を示す値と、新種子を示す値と、新種子が得られる工程に係る情報と、を互いに関連付けて登録するプロジェクトデータベース管理手段と、種子データベースとして、新種子を示す値と、交配の対象となった各植物個体を示す値と、新種子の保管場所と、を互いに関連付けて登録する種子データベース管理手段と、プロジェクトデータベースの内容を記憶するプロジェクトデータベース記憶手段と、種子データベースの内容を記憶する種子データベース記憶手段と、を含む。なお、プロジェクトデータベースとは、栽培される種子を示す値、交配の対象となった各植物個体を示す値、新種子を示す値、新種子が得られる工程に係る情報、を互いに関連付けて有するデータベースである。
【００１１】
このように構成された本発明によれば、プロジェクトデータベースと種子データベースとがそれぞれプロジェクトデータベース記憶手段と種子データベース記憶手段に登録される。そして、この二つのデータベースに含まれる情報は、両データベースに共通する「新たな品種の種子を示す値」に基づいて関連付けられる。そのため、管理されている各品種の種子について、その親に関する情報のみならず、種子が得られる過程についての情報も、容易に取得することが可能となる。また、ある種子について、その親やさらに上流の先祖の品種が得られる過程について知りたい場合にも同様の効果を奏する。
【００１２】
本発明による植物情報管理システムは、任意の種子の品種に係る遺伝子情報の入力を受け付ける遺伝子情報入力手段をさらに含むように構成されても良い。この場合、種子データベース管理手段は、入力された遺伝子情報をさらに種子データベースに登録するように構成される。
このように構成された植物情報管理システムによれば、各種子について、遺伝子情報についても容易に取得することが可能となる。
【００１３】
本発明による植物情報管理システムは、圃場データベース記憶手段及び圃場データベース管理手段をさらに含むように構成されても良い。圃場データベース記憶手段は、種子を栽培するための圃場について、各植物個体を栽培するための区画が使用されているか否かを示す情報を記憶する圃場データベース管理手段は、ユーザに対し、圃場データベース記憶手段の記憶内容に基づき、各圃場の区画について使用されているか否かを示す。圃場データベース管理手段は、例えば、植物情報管理システムに接続された画像表示装置に対し、各圃場の区画について使用されているか否かを示す。
【００１４】
本発明による植物情報管理システムは、ラベルを読み込むラベル読込手段と、ラベルを出力するラベル出力手段と、プロジェクト管理手段とをさらに含むように構成されても良い。プロジェクトとは、ある栽培目的のもと、ある程度の数の系統、植物体、種子を集めた集団の管理単位のことである。このとき、プロジェクト管理手段は、ユーザによって実行されたプロジェクトの工程に関係付けて、前記ラベル出力手段に対しラベルの出力を指示する。また、プロジェクトデータベース管理手段は、プロジェクト管理手段及びラベル出力手段によって出力されるラベルの内容を、さらに関連付けてプロジェクトデータベースに登録する。また、プロジェクト管理手段は、一つ前の工程においてラベル出力手段によって出力されたラベルが、ラベル読込手段によって読み込まれた場合に、ラベル出力手段に対して本工程におけるラベルの実行を指示する。
【００１５】
本発明におけるプロジェクトデータベース管理手段は、新種子が得られる工程に係る情報として、当該新種子を得るためのプロジェクトの計画日、プロジェクトにおける移植の工程の実行日を示す定植日、出穂日、収穫日を管理し、ユーザの入力に応じて画像表示装置にプロジェクトデータベースの情報を出力するように構成されても良い。
【００１６】
本発明における植物情報管理システムは、種子識別情報入力手段により入力された値に係る種子について、プロジェクトデータベース及び種子データベースに関連付けられた複数の情報を出力する出力手段をさらに含むように構成されても良い。
【００１７】
また、本発明は、コンピュータを、上述した植物情報管理システムとして動作させるためのコンピュータプログラムとして特定されても良い。また、本発明は、上述した植物情報管理システムとして機能するコンピュータが行う植物情報管理方法として特定されても良い。
【発明の効果】
【００１８】
本発明によれば、栽培される植物個体の種子について、その親に関する情報及びその種子が得られる過程についての情報を容易に取得することが可能となる。
【発明を実施するための最良の形態】
【００１９】
実施例を示して本発明を詳細に説明する。なお、本発明は以下の実施例に限定されるものではない。また、以下の実施例においては、イネをモデル植物とし、種子から次世代の種子まで、すなわち、浸種、播種・移植、ＤＮＡサンプリング、交配（若しくは自植）、収穫、種子の回収・保管という一連の工程を行う。
【００２０】
図１は、本発明による植物情報管理システム１００の機能ブロックを示す図である。植物情報管理システム１００は、入力部１０、出力部２０、ラベル出力部３０、ラベル読取部４０、制御部５０、プロジェクトデータベース記憶部６０、種子データベース記憶部７０、圃場データベース記憶部８０、及び遺伝子情報入力部９０を含む。植物情報管理システム１００は、演算装置や記憶装置がバスによって接続され、記憶装置に記憶されているプログラムに基づいて動作する情報処理装置を用いて構成することができる。植物情報管理システム１００の各機能部やその一部は、専用のハードウェアを用いて構成されても良い。以下、図１を用いて、植物情報管理システム１００が備える各機能部について説明する。
【００２１】
入力部１０は、ユーザからの命令や数値や文字列等の入力を受け付ける。入力部１０は、例えばキーボードやポインティングデバイス（マウス，トラックボール，タブレットなど）や、ダイヤル式入力装置や、タッチパネルや、テンキーや、各種ボタンや、音声入力装置などの入力装置を用いて構成される。入力部１０は、植物情報管理システム１００のユーザが、植物情報管理システム１００に対して命令や数値や文字列の入力操作・選択操作を行うことが可能であれば、その他どのような装置を用いて構成されても良い。
【００２２】
入力部１０は、ユーザによって操作されることにより、例えばプロジェクト名、プロジェクトにおいて使用される種子の名（「栽培される種子を示す値」に相当。）、種子の数、プロジェクトにおいて使用される栽培場所、交配の工程において使用される雌親（種子親）個体や雄親（花粉親）個体の名（「交配させる植物個体を示す値」に相当。）、得られた種子の保管場所などの情報の入力を受け付ける（「種子識別情報入力手段」、「植物個体識別情報入力手段」に相当。）。種子や個体や場所などをあらわす名は、各種子や個体や場所などを識別可能に構成されれば、いわゆる名前に限られる必要は無く、アルファベットや数字などによって表される識別情報であっても良い。
【００２３】
出力部２０は、画像や文字を画面に出力する装置を用いて構成される。例えば、出力部２０は、ＣＲＴ（Cathode Ray Tube）ディスプレイや液晶ディスプレイや有機ＥＬ（Electro-Luminescent）ディスプレイ等を用いて構成できる。また、出力部２０は、画像や文字をシートに印刷（印字）する装置を用いて構成されても良い。例えば、出力部２０は、インクジェットプリンタやレーザープリンタ等を用いて構成できる。なお、出力部２０は、文字を音声に変換して出力する装置を用いて構成されても良い。この場合、出力部２０は、音声合成装置及び音声出力装置（スピーカー）を用いて構成できる。また、出力部２０は、プロジェクトデータベース管理部５４の指示に従い、プロジェクトデータベースの内容を表示する。また、出力部２０は、種子データベース管理部５５や圃場データベース５６の指示に従い、種子データベースや圃場データベースの内容を表示する。また、出力部２０は、プロジェクト管理部５７又は複数のデータベース管理部５４〜５６の指示に従い、複数のデータベースの内容を関連付けて表示する。例えば、一つの情報の入力（例えば、種子の名や圃場の場所など）が入力部１０を介して入力された場合、プロジェクトデータベース管理部５４、種子データベース５５、及び圃場データベース５６によって、入力された情報に関連する各データベースの情報（例えば、種子の名や圃場の場所に関連付けられた植物個体の名、その植物個体が生成されたプロジェクトの計画日、その植物固体の定植日、収穫日及び出穂日、その植物個体の遺伝子情報など）が読み出され、出力部２０に表示されても良い。このような複数のデータベースの制御は、公知のリレーショナルデータベース技術を適用することにより実現できる。
【００２４】
ラベル出力部３０は、シートにラベルを印刷する装置を用いて構成される。ラベル出力部３０は、制御部５０（プロジェクト管理部５７）から指示された文字や数値のデータを含むバーコードを生成する。また、ラベル出力部３０は、生成されたバーコードや、制御部５０から指示された文字や画像を、セットされているシートに対して印刷しラベルを出力する。
【００２５】
ラベル読取部４０は、ラベル出力部３０によって印刷された、バーコードや文字や画像から構成されるラベルの内容を読み取る装置を用いて構成される。また、ラベル読取部４０は、読み取ったバーコードを平文化し、文字や数値のデータを取得する。ラベル読取部４０は、ユーザによって使用されることにより、雌親個体や雄親個体の名（「交配させる植物個体を示す値」に相当。）の入力を受け付ける（「植物個体識別情報入力手段」に相当。）。
【００２６】
なお、交配させる雌親個体や雄親植物個体の名は、入力部１０及びラベル読取部４０の双方によって入力可能に構成されても良い。ただし、後述する交配の過程のユーザ操作において、制御部５０（プロジェクト管理部５７）が、入力された植物個体が正しいものであるか否か判断する際の入力は、ラベル読取部４０を用いた入力に限定される。このように構成されることにより、後述するように、誤った植物個体を交配させることを防止することが可能となる。
【００２７】
制御部５０は、入力部１０及びラベル読取部４０から入力された情報に基づき、出力部２０及びラベル出力部３０の制御や、各データベースの記憶部６０〜８０に対する情報の読み書き制御を行う。制御部５０は、植物個体識別情報取得部５１、新種子識別情報取得部５２、保管場所情報取得部５３、プロジェクトデータベース管理部５４、種子データベース管理部５５、圃場データベース管理部５６、及びプロジェクト管理部５７を含む。制御部５０に含まれる各機能部は、ＣＰＵによってプログラムが実行されることにより実現されても良いし、専用のハードウェアによって実現されても良い。なお、制御部５０に含まれる各機能部の具体的な動作については後述する。
【００２８】
プロジェクトデータベース記憶部６０、種子データベース記憶部７０、及び圃場データベース記憶部８０は、それぞれ磁気ハードディスクや半導体記憶装置などの不揮発性記憶装置を用いて構成され、各データベースの内容を記憶する。以下、各データベースの内容について説明する。
【００２９】
図２は、プロジェクトデータベースの内容を示す図である。プロジェクトデータベースは、ユーザによって実行される各プロジェクトに関する情報を含むデータベースである。プロジェクトデータベースは、プロジェクト名、使用される種子に関する情報、種子から得られた各個体に関する情報、各交配に関する情報、各工程の進捗状況等を含む。プロジェクトデータベースは、各工程の進捗状況として、当該プロジェクトの計画日、移植の工程における定植日、出穂日、収穫日を含んでも良い。
【００３０】
プロジェクト名は、プロジェクトを一意に示す識別情報である。プロジェクト名を用いることにより、プロジェクトデータベースに登録された複数のプロジェクトの中から一つのプロジェクトを識別することができる。使用される種子に関する情報は、使用される種子の品種毎の、種子の名、使用される種子の数、種子の栽培において使用される栽培場所の情報を含む。種子から得られた各個体に関する情報は、種子から得られた個体毎の、個体に発行された名、個体の栽培場所の情報を含む。交配に関する情報は、交配の工程において実施された交配毎の、雌親の個体名、雄親の個体名、交配によって得られた子に発行された名の情報を含む。各工程の進捗状況は、各工程について、実行されたか否かを示す情報を含む。
【００３１】
図３は、種子データベースの内容を示す図である。種子データベースは、各品種の種子に関する情報を含むデータベースであり、種子の品種毎に、種子の名、その親の個体の名（雌親名及び雄親名）、遺伝子情報、この種子が生み出されたプロジェクトの名、保管場所に関する情報、種子の残存数等を含む。保管場所に関する情報とは、保管場所を特定するための情報であり、例えば保管場所となる棚の所在地や棚の中の特定箇所を示す情報である。遺伝子情報は、種子データベースに遺伝子情報そのものが含まれても良いし、遺伝子情報を記したデータファイルのリンクや保存場所を示すように構成されても良い。
【００３２】
図４は、圃場データベースの内容を示す図である。圃場データベースは、圃場の名、圃場の所在地、気候条件、土壌条件、圃場内の各区画の状況等の情報を含む。圃場内の各区画の状況とは、その区画が空いているか否か、即ち他のプロジェクトによって使用・予約されているか否かを示す情報である。なお、圃場の区画の様式は、一区画が一の植物個体を栽培するために必要な面積を有するものであれば、特に限定されるものではなく、任意に区分することができる。後述するように、ＤＮＡ解析等の解析工程においても、より混乱なく試料の識別が可能となるため、分子生物学や生化学の分野において汎用されている９６ウェルマルチプレートや、３８４ウェルマルチプレートの各ウェルと、一圃場の各区画が対応するように区分して区画名を付することが好ましい。例えば、９６ウェルマルチプレートに対応するように、一圃場を８行（Ａ〜Ｈ）×１２列（１〜１２）に区分し、例えばＡ行１列目の区画をＡ１、Ｈ行１２列目の区画をＨ１２のように各区画を名付ける。一圃場の面積が十分に広い場合には、複数の９６ウェルマルチプレートに対応するように区分することが好ましい。
【００３３】
遺伝子情報入力部９０は、他の装置によって解析された遺伝子情報を、植物情報管理システム１００に入力する。遺伝子情報入力部９０は、他の装置から遺伝子情報のデータを転送・持込可能であれば、どのような技術が適用されて構成されても良い。例えば、遺伝子情報がＣＤやＤＶＤやＭＯや半導体記録装置等の記録媒体に記録されている場合は、これらの記録媒体からデータを読み出すことが可能な装置を用いて、遺伝子情報入力部９０を構成することができる。また、他の装置とネットワーク（インターネット、短距離無線通信、ＵＳＢなど）を用いて通信可能に構成され、他の装置からネットワークを介して遺伝子情報を受信することができるネットワーク装置を用いて遺伝子情報入力部９０が構成されても良い。なお、遺伝子情報を解析する機能部が植物情報管理システム１００に付加された場合は、遺伝子情報入力部９０はその機能部から遺伝子情報を取得するように構成されても良い。
【００３４】
次に、ユーザが植物情報管理システム１００を用いて新たな品種の種子を取得するプロジェクトを実行する際の動作手順について説明する。なお、実行されるプロジェクトは、上述したように、プランニング、浸種、播種・移植、交配、収穫、種子の回収・保管の工程を含む。
【００３５】
プロジェクトのプランニングを実行する際には、まずユーザが、入力部１０を操作することによって、プランニングを実行する旨を植物情報管理システム１００に入力する。プロジェクト管理部５７は、この入力を受けて、出力部２０に対しプランニング入力画面の出力を実行させる。図５は、プランニング入力画面の例を示す図である。プランニング入力画面には、プロジェクト名、使用する各種子の名、使用する各種子の数、各種子の栽培場所（圃場名や区画名）などの情報を入力するための入力欄が設けられる。ユーザは、各入力欄に対し、入力部１０を操作することにより、必要項目を入力する。
【００３６】
プランニング入力画面において、ユーザは、栽培場所を、区画マップを用いて選択し入力することができる。ユーザがプランニング入力画面において参照ボタンを選択すると、これを受けた圃場データベース管理部５６の指示により、出力部２０は圃場名リストを表示する。圃場名リストには、使用可能な圃場の名前が列挙される。ユーザが圃場名リストから一つの圃場を選択すると、これを受けた圃場データベース管理部５６が圃場データベースから該当する圃場に関するデータを読み出す。そして、圃場データベース管理部５６の指示により、出力部２０は選択された圃場の区画マップを表示する。
【００３７】
図６は、区画マップの画面の例を示す図である。区画マップの画面の内容は、圃場データベース管理部５６によって、該当する圃場に関する圃場データベースの内容が読み出されることにより決定される。区画マップは、Ａ１〜Ｈ１２までの９６の各区画の状況を示す。ここで、区画の状況とは、該区画が空いているか、それとも、他のプロジェクトにおいて使用されている又は使用される予定があるか否かを意味する。使用されている又は使用される予定がある区画には、クロス（×）が表示される。この表示は、圃場データベースの区画状況の内容に基づいて、圃場データベース管理部５６によって決定される。
【００３８】
ユーザは、入力部１０を操作して、空いている区画の中から、プロジェクトで使用する区画を選択する。選択された区画には、円（○）が表示される。そして、ユーザによって区画の選択が決定されると、選択された区画の区画状況が使用中であるとして、圃場データベース管理部５６によって圃場データベースが更新される。
【００３９】
なお、区画マップには、各区画に栽培されている植物個体の名や、その区画を使用中のプロジェクト名や、プロジェクトの使用期限等の情報が表示されても良い。ユーザは、該区画マップに表示されている情報を考慮して、圃場に移植する予定の植物個体数と同数の区画を適宜選択して決定することができる。
【００４０】
プランニング入力画面において必要項目の入力が完了すると、種子データベース管理部５５は、使用する種子として入力された種子の残存数を、種子データベースから読み出す。そして、プロジェクト管理部５７は、入力された使用する数と、読み出された残存数とを比較し、残存数の方が多ければプロジェクトの実行が可能であると判断する。そして、この判断の後、プロジェクトデータベース管理部５４は、入力された情報をプロジェクトデータベースに書き込む。一方、残存数の方が少なければ、プロジェクト管理部５７は、プロジェクトの実行が不可能であるとしてエラーを出力部２０に出力し、ユーザに対しプランニングの再考を促す。
【００４１】
プロジェクトの実行が可能である場合、プロジェクト管理部５７は、出力部２０に対し、使用種子情報画面の出力を実行させる。図７は、使用種子情報画面の例を示す図である。使用種子情報画面には、プランニング入力画面において入力された、使用する種子に該当する種子の名、入力された使用数、その保管場所などが示される。保管場所の情報については、種子データベース管理部５５が、該当する種子の種子データベースから保管場所の情報を読み出すことにより、出力部２０に表示可能となる。プランニング入力画面の入力を終えたユーザは、使用種子情報画面を見ることにより、プロジェクトにおいて使用する種子の保管場所や使用数を知ることができる。
【００４２】
プランニングの工程が完了すると、ユーザは浸種の工程を実行する。図８は、浸種の工程におけるユーザの作業の一部を表す図である。浸種の工程において、ユーザは、入力部１０を操作することによって、プロジェクトを特定し、そのプロジェクトにおいて浸種を実行する旨を植物情報管理システム１００に入力する。プロジェクト管理部５７は、この入力を受けて、出力部２０に対し、プロジェクトにおいて使用する種子のラベルの内容を読み取ることを促す表示を出力させる。この指示を受けて、ユーザは、ラベル読取部４０を用いて、プロジェクトにおいて使用する各種子のラベルの内容を読み取る（図８“Ｉｎｐｕｔ”）。なお、各種子のラベルは、各種子が保管されている棚や、各種子が収められているボトル等に貼付されている。また、ラベルの内容には、各種子の名が含まれる。
【００４３】
プロジェクト管理部５７は、ラベルの内容が読み取られると、読み取られたラベルに係る種子と、現在のプロジェクトに係る種子とが一致するか否か判断する。プロジェクト管理部５７は、種子の名が一致しない場合は、一致しない旨及び現在のプロジェクトに係る種子の名や保管場所を、出力部２０に出力させる。そして、プロジェクト管理部５７は、改めてラベル読取部４０を用いて正しい種子のラベルの内容を読み取ることを促す表示を出力部２０に実行させ、正しいラベルの内容が読み取られるまで待機する。
【００４４】
一方、プロジェクト管理部５７は、読み取られたラベルに係る種子と、現在のプロジェクトに係る種子とが一致すると判断した場合、その旨を種子データベース管理部５５に通知する。そして、種子データベース管理部５５は、種子データベースにおいて記憶されている種の残存数から使用数を減算し更新する。また、プロジェクト管理部５７は、ラベル出力部３０に対し、この種子の浸種用のラベル（浸種用ラベル）の出力を指示する。浸種用ラベルは、プロジェクト名、種子の名、種子の数等を含む。そして、プロジェクトデータベース管理部５４は、プロジェクトデータベースにおいて、該当するプロジェクトの浸種が実行されたことを登録する。
【００４５】
プロジェクト管理部５７の指示に従い、ラベル出力部３０は、この種子の浸種用ラベルを出力する（図８“Ｐｒｉｎｔ  ｏｕｔ”）。ユーザは、ペトリ皿等の浸種用容器に浸種用ラベルを貼付する（図８“Ｐａｓｔｅ”）。そしてユーザは、浸種用容器内に湿らせた脱脂綿等を敷き、該脱脂綿上に種子を静置して、発芽させる。
【００４６】
なお、通常は、同一の名を有する複数の種子は、一の浸種用容器内で浸種させる。このため、浸種用ラベルには、それが貼られる浸種用容器内において浸種される全種子の栽培予定区画名を文字情報として記載しても良い。浸種用ラベルに、栽培予定場所名を明記することにより、発芽させた植物個体を移植する時に、浸種用容器に貼付された浸種用ラベル通りの場所に移植すればよいため、栽培場所の誤り等が生じ難くなる。例えば、１０個の同一種類の種子を浸種する場合であって、これらの栽培予定場所が、Ｘ１圃場のＡ１〜Ａ１０区画である場合には、浸種用ラベルに「Ｘ１Ａ１−Ｘ１Ａ１０」のように記載することができる。
【００４７】
浸種の後、ユーザは播種の工程を実行する。図９は、播種の工程におけるユーザの作業の一部を表す図である。播種の工程においてユーザは、入力部１０を操作することによって、プロジェクトを特定し、そのプロジェクトにおいて播種を実行する旨を植物情報管理システム１００に入力する。プロジェクト管理部５７は、この入力を受けて、出力部２０に対し、このプロジェクトで使用されている浸種用容器のラベルの内容を読み取ることを促す表示を出力させる。
【００４８】
この指示を受けて、ユーザは、ラベル読取部４０を用いて、浸種用容器のラベルの内容を読み取る（図９“Ｉｎｐｕｔ”）。プロジェクト管理部５７は、読み取られたラベルの内容（例えば種子名など）が、ユーザによって特定されたプロジェクトのプロジェクトデータベースに登録されている内容と一致するか否か判断する。内容が異なる場合は、プロジェクト管理部５７は、その旨のエラー出力を行い、植物個体の名の発行や登録等は実行せず、正しいラベルの読み取りが実行されるまで待機する。一方、内容が一致する場合は、プロジェクト管理部５７は、播種の対象となる植物個体の数を入力することを促す旨を、出力部２０に出力させる。この指示を受けて、ユーザは、播種の対象となる植物個体の数を、入力部１０を操作して入力する。この入力を受けて、植物個体識別情報取得部５１は、このプロジェクトにおいて既に浸種された植物個体それぞれについて、入力された数に応じて名を発行し取得する。なお、植物個体識別情報取得部５１は、ユーザに対し入力部１０を操作して各個体の名を入力させることによって、各個体の名を取得するように構成されても良い。
【００４９】
また、プロジェクト管理部５７は、各植物個体について、入力された数に応じて栽培場所を割り当てる。割り当てられる栽培場所は、プランニングの工程においてユーザによって選択された栽培場所である。プロジェクトデータベース管理部５４は、発行された名と栽培場所とを対応付けてプロジェクトデータベースに登録する。
【００５０】
また、プロジェクト管理部５７は、各植物個体の名と栽培場所とが印刷された播種用ラベルを、入力された数に応じた枚数だけ、ラベル出力部３０に出力させる。ラベル出力部３０は、この指示に従って播種用ラベルを出力する（図９“Ｐｒｉｎｔ  ｏｕｔ”）。播種用ラベルは、各植物個体について１枚ずつ出力されてもよいし、区画の行毎又は列毎に出力されてもよい。そして、プロジェクトデータベース管理部５４は、プロジェクトデータベースに対し、該当するプロジェクトについて播種が実行されたことを登録する。
【００５１】
ユーザは、出力されたラベル一つ一つと対応付けて、各植物個体を割り当てられた栽培場所に対応するプラグトレイ（育苗用トレイ）に播種する。ユーザは、播種用ラベルを杭や札などに貼付し（図９“Ｐａｓｔｅ”）た上でこの杭や札を植物個体に近接する土壌に挿してもよいし、育苗用トレイの一部に直接貼付しても良い。
【００５２】
育苗用トレイも、圃場と同様に、一区画が一の植物個体を栽培するために必要な面積を有するように、区画ごとに区分される。また、育苗用トレイの区画の様式は、圃場の区画に対応した区分として構成される。例えば、圃場が８行（Ａ〜Ｈ）×１２列（１〜１２）に９６区分されている場合、育苗用トレイも８行（Ａ〜Ｈ）×１２列（１〜１２）に区分される。このように、育苗用トレイと圃場の区画を対応させることにより、播種用ラベルに記載された区画と圃場における区画とを一致させることができる。そのため、育苗用トレイから圃場へ移植する場合に、対応する区画にそのまま移植することができ、誤った処理を防止することができる。
【００５３】
例えば、播種の対象となっている１０個の植物個体があり、浸種用容器に貼付されている浸種用ラベルに栽培予定区画として「Ｘ１Ａ１−Ｘ１Ａ１０」と記載されている場合には、育苗用トレイ中の一の９６区画に、Ｘ１と名付け、該９６区画のうちのＡ１〜Ａ１０区画に、一植物個体ずつ発芽した植物個体を播種する。その後、ある程度生育した後に、育苗用トレイＸ１のＡ１区画で栽培した植物個体はＸ１圃場のＡ１区画へ、育苗用トレイＸ１のＡ２区画で栽培した植物個体はＸ１圃場のＡ２区画へ、というように、対応する区画へ移植する。このように移植することにより、移植時の品種の取り違えを抑制することができる。なお、移植については後述する。
【００５４】
また、１０個の種子のうち、８個しか播種の対象とならない場合には、育苗用トレイのＡ１〜Ａ８区画に、一植物個体ずつ播種し、Ａ９及びＡ１０区画は使用しない。さらに、育苗用トレイから圃場へ移植する際に、例えばＡ５区画の植物個体が枯死した場合には、Ａ１〜Ａ４及びＡ６〜Ａ８区画の７植物個体のみ、圃場内のそれぞれ対応する区画に移植し、Ａ５区画は使用しない。このように、播種時に発芽しない種子があった場合や、生育途中で何らかの原因により枯死した植物個体があった場合には、該植物個体に予め割り当てられた栽培予定区画は、未使用のままとすることにより、名と栽培箇所が、一連の工程において齟齬を来たさず、作業上の誤りを抑制することができる。
【００５５】
播種の後、種が発芽すると、ユーザは移植の工程を実行する。図１０は、移植の工程におけるユーザの作業の一部を表す図である。移植の工程においてユーザは、入力部１０を操作することによって、プロジェクトを特定し、そのプロジェクトにおいて移植を実行する旨を植物情報管理システム１００に入力する。プロジェクト管理部５７は、この入力を受けて、出力部２０に対し、このプロジェクトで使用されているプラグトレイにあるラベルの内容を読み取ることを促す表示を出力させる。
【００５６】
この指示を受けて、ユーザは、ラベル読取部４０を用いて、プラグトレイにあるラベルの内容を読み取る（図１０“Ｉｎｐｕｔ”）。プロジェクト管理部５７は、読み取られたラベルの内容（例えば種子名など）が、ユーザによって特定されたプロジェクトのプロジェクトデータベースに登録されている内容と一致するか否か判断する。内容が異なる場合は、プロジェクト管理部５７は、その旨のエラー出力を行い、植物個体の名の発行や登録等は実行せず、正しいラベルの読み取りが実行されるまで待機する。一方、内容が一致する場合は、プロジェクト管理部５７は、発芽した植物個体の数を入力することを促す旨を、出力部２０に出力させる。この指示を受けて、ユーザは、発芽した植物個体の数を、入力部１０を操作して入力する。
【００５７】
プロジェクト管理部５７は、各植物個体の名と栽培場所とが印刷された定植用ラベルを、入力された数に応じた枚数だけ、ラベル出力部３０に出力させる。ラベル出力部３０は、この指示に従って定植用ラベルを出力する（図１０“Ｐｒｉｎｔ  ｏｕｔ”）。定植用ラベルは、各植物個体について１枚ずつ出力されてもよいし、区画の行毎又は列毎に出力されてもよい。そして、プロジェクトデータベース管理部５４は、プロジェクトデータベースに対し、該当するプロジェクトについて移植が実行されたことを登録する。
【００５８】
ユーザは、出力されたラベル一つ一つと対応付けて、各植物個体を割り当てられた栽培場所に対応する圃場に移植する。ユーザは、定植用ラベルを杭や札などに貼付した（図１０“Ｐａｓｔｅ”）上で、この杭や札を植物個体に近接する土壌に挿入する。
【００５９】
播種及び移植の工程において、ユーザは、浸種した種（植物個体）を、一旦プラグトレイ等の育苗用トレイに播種し、ある程度生育させた後に圃場へ移植してもよいが、直接圃場へ播種してもよい。また、移植の工程において、ユーザは、圃場（図１０“Ｆｉｅｌｄ”）に移植を行っても良いし、各植物個体を個別の鉢（図１０“Ｐｏｔ”）に移植しても良い。
【００６０】
移植により植物が交配可能な状態まで生長すると、ユーザは交配の工程を実行する。図１１は、交配の工程におけるユーザの作業の一部を表す図である。ユーザは、特定の植物個体同士を交配させ、新たな次世代植物個体を得ることにより、新品種を作成することができる。交配の工程において、ユーザは、入力部１０を操作することによって、プロジェクトを特定し、そのプロジェクトにおいて交配を実行する旨を植物情報管理システム１００に入力する。プロジェクト管理部５７は、この入力を受けて、出力部２０に対し、交配の対象となる雌植物個体及び雄植物個体のラベルを、ラベル読取部４０を用いて読み取ることを促す表示を出力させる。
【００６１】
この指示を受けて、ユーザは、交配する植物個体を選択し、ユーザは、ラベル読取部４０を用いて、交配の対象となる雄植物個体のラベルを雄植物個体のラベルとして読み取る（図１１“Ｉｎｐｕｔ”）。プロジェクト管理部５７は、読み取られた各ラベルの内容に基づき、交配の対象として選択された植物個体が、正しいか否か、即ちこれらの植物個体がこのプロジェクトにおいて育成されているものであるか否か判断する。選択が正しい場合、プロジェクトデータベース管理部５４は、読み取られた各ラベルの情報を、交配の親のデータとしてプロジェクトデータベースに登録する。また、新種子識別情報取得部５２は、新たに種子名を発行する。そして、プロジェクトデータベース管理部５４及び種子データベース管理部５５は、この種子名に両親の植物個体の名を関連付けて、それぞれプロジェクトデータベース及び種子データベースに登録する。なお、新種子識別情報取得部５２は、ユーザに対し入力部１０を操作して種子の名を入力させることによって、種子の名を取得するように構成されても良い。
【００６２】
次に、プロジェクト管理部５７は、両親の個体の名を含む交配用ラベルを、ラベル出力部３０に出力させる。従って、出力される交配用ラベルには、親となった雌植物個体の名及び雄植物個体の名の二つが含まれる。ラベル出力部３０は、プロジェクト管理部５７の指示に従って交配用ラベルを出力する（図１１“Ｐｒｉｎｔ  ｏｕｔ”）。そして、プロジェクトデータベース管理部５７は、プロジェクトデータベースに対し、該当するプロジェクトについて交配が実行されたことを登録する。なお、出力される交配用ラベルには、交配日や交配操作をした人等の情報がさらに記載されても良い。
【００６３】
ユーザは、ラベル出力部３０から出力された交配用ラベルを取得し、袋に貼付する（図１１“Ｐａｓｔｅ”）。また、ユーザは、この雌植物個体と雄植物個体を用いて交配を行う。交配は常法により行うことができる。例えば、雄親から採取した花粉を雌親の雌蕊に受粉させた後、他の花粉等の影響を受けないように雌蕊を袋等で被覆する。このとき、ユーザは、雌蕊を被覆する袋として、上述したラベルを貼付した袋を用いる。
【００６４】
一方、選択が正しくない場合、プロジェクト管理部５７は、このプロジェクトにおいて育成されている植物個体が選択すべき旨を、出力部２０に出力させる。このとき、プロジェクト管理部５７は、このプロジェクトにおいて使用されている栽培場所を出力部２０に表示しても良い。そして、プロジェクト管理部５７は、改めてラベル読取部４０を用いて正しい植物個体のラベルの内容を読み取ることを促す表示を出力部２０に実行させ、正しいラベルの内容が読み取られるまで待機する。
【００６５】
交配した雌植物個体が種子を実らせると、ユーザは収穫の工程を実行する。図１２は、収穫の工程におけるユーザの作業の一部を表す図である。収穫の工程においてユーザは、入力部１０を操作することによって、プロジェクトを特定し、そのプロジェクトにおいて収穫を実行する旨を植物情報管理システム１００に入力する。このとき、ユーザは、収穫する対象となる雌植物個体を選択する。プロジェクト管理部５７は、この入力を受けて、出力部２０に対し、収穫の対象となる雌植物個体のラベルの内容を、ラベル読取部４０を用いて読み取ることを促す表示を出力させる。この指示を受けて、ユーザは、ラベル読取部４０を用いて、収穫の対象となる雌植物個体を選択し、その穂に被せられた袋のラベルの内容を読み取る（図１２“Ｉｎｐｕｔ”）。このとき、雌植物個体の名のみが読み取られるように構成されても良いし、雌植物個体及び雄植物個体の名がどちらも読み取られるように構成されても良い。
【００６６】
プロジェクト管理部５７は、入力されたラベルの内容が、このプロジェクトに関するものであるか否か判断する。このプロジェクトのものである場合、プロジェクトデータベース管理部５４は、入力された雌植物個体（又は雌植物個体及び雄植物個体）の名に対応付けてプロジェクトデータベースに登録されている種子の名を読み出す。そして、プロジェクト管理部５７は、この種子名を含む収穫用ラベルを、ラベル出力部３０に出力させる。収穫用ラベルには、自殖によって得られた種子の場合には、種子名に加え、雌親の植物個体情報や自殖種子である旨の情報が記載される。一方、交配によって得られた種子の場合には、種子名に加え、交配名等の交配情報や、雄親及び雌親双方の植物個体情報等が記載される。ラベル出力部３０は、プロジェクト管理部５７の指示に従い、収穫用ラベルを出力する（図１２“Ｐｒｉｎｔ  ｏｕｔ”）。
【００６７】
ユーザは、ラベル出力部３０から出力された収穫用ラベルを取得し、収穫袋に貼付する（図１２“Ｐａｓｔｅ”）。ユーザは、取得の対象となった雌植物個体から穂を収穫し、この収穫袋に納める。そして、ユーザは、ラベル読取部４０を用いて、この収穫袋に貼付されたラベルの内容を読み取る。プロジェクトデータベース管理部５７は、入力された名に対応する植物個体の収穫が終わったことを、プロジェクトデータベースに登録する。
【００６８】
プロジェクト管理部５７は、入力されたラベルの内容が異なるプロジェクトに関するものである場合、異なるプロジェクトに関する植物個体のラベルが読み取られた旨及び現在のプロジェクトに係る植物個体の名や栽培場所を、出力部２０に出力させる。そして、プロジェクト管理部５７は、改めてラベル読取部４０を用いて正しい植物個体のラベルの内容を読み取ることを促す表示を出力部２０に実行させ、正しいラベルの内容が読み取られるまで待機する。
【００６９】
なお、収穫用ラベルには、種子名と種子を収穫する植物個体の栽培場所が文字情報として明記されても良い。収穫用袋に貼付した収穫用ラベルに、収穫する対象である植物個体の位置情報が明記されていることにより、種子を含む植物組織を目的の植物個体から正確に回収することが可能となる。収穫された植物組織は、収穫用袋に入れた状態で乾燥等の通常の処理を行うことができる。
【００７０】
収穫が完了すると、ユーザは、種子の回収・保管の工程を実行する。図１３は、回収・保管の工程におけるユーザの作業の一部を表す図である。この工程において、ユーザは、入力部１０を操作することによって、プロジェクトを特定し、そのプロジェクトにおいて種子の回収・保管を実行する旨を植物情報管理システム１０に入力する。プロジェクト管理部５７は、この入力を受けて、出力部２０に対し、種子の回収・保管の対象となる穂が収められた収穫袋のラベルを、ラベル読取部４０を用いて読み取ることを促す表示を出力させる。
【００７１】
この指示を受けて、ユーザは、種子を回収する穂が納められた収穫袋に貼付されたラベルを、ラベル読取部４０を用いて読み取る（図１３“Ｉｎｐｕｔ”）。プロジェクト管理部５７は、ラベルの内容が読み取られると、読み取られたラベルの内容が、現在のプロジェクトに関するものであるか否か判断する。現在のプロジェクトに関するものである場合、保管場所情報取得部５３は、入力されたラベルに応じて、該当する種子に対し保管場所を新たに割り当て、割り当てられた保管場所に関する情報を取得する。そして、種子データベース管理部５５は、保管場所情報取得部５３によって取得された、保管場所に関する情報を、回収された種と関連付けて、種子データベースに登録する。プロジェクト管理部５７は、この種子について保管用ラベルをラベル出力部３０に出力させる。ラベル出力部３０は、プロジェクト管理部５７の指示に従い保管用ラベルを出力する（図１３“Ｐｒｉｎｔ  ｏｕｔ”）。
【００７２】
保管用ラベルには、この種子の名や、保管場所などの情報が含まれる。また、プロジェクト管理部５７は、新たに割り当てられた保管場所を、出力部２０に表示させる。なお、保管場所は、保管場所情報取得部５３が割り当てるのではなく、ユーザによって任意に決定・入力されることにより、この入力に基づいて保管場所情報取得部５３が保管場所に関する情報を取得するように構成されても良い。
【００７３】
ユーザは、ラベルを読み取った収穫袋から穂を取り出し、脱穀等の操作により、この穂から種子を回収する。ユーザは、回収された種子をボトルに収める。ユーザは、このボトルに、ラベル出力部３０によって出力された保管用ラベルを貼付する（図１３“Ｐａｓｔｅ”）。そして、ユーザは、このボトルに納めた種子数を残存数として入力部１０を用いて植物情報管理システム１００に入力する。この入力を受けて、種子データベース管理部５５は、種子データベースに残存数を登録する。そして、ユーザは、保管用ラベルが貼付されたボトルを、植物情報管理システム１００によって割り当てられた保管場所に保管する。なお、ラベル出力部３０は、保管用ラベルとして複数のバーコードを出力しても良い。この場合、例えば、一方はボトルキャップに貼付するための狭い面積で情報を含むことができる形態（例えば二次元バーコード）で出力され、他方はボトル側面に貼付するための視覚的に認識可能な情報（例えば数字や英字）を含む形態で出力されても良い。
【００７４】
プロジェクト管理部５７は、入力されたラベルの内容が異なるプロジェクトに関するものである場合、異なるプロジェクトに関する収穫用のラベルが読み取られた旨及び現在のプロジェクトに係る植物個体の名や栽培場所を、出力部２０に出力させる。そして、プロジェクト管理部５７は、改めてラベル読取部４０を用いて正しい収穫用ラベルの内容を読み取ることを促す表示を出力部２０に実行させ、正しいラベルの内容が読み取られるまで待機する。
【００７５】
ユーザは、圃場に移植後であって植物個体が枯れてしまうまでの間に、この植物個体の葉等の組織をサンプリングし、該組織からＤＮＡを回収し、遺伝子情報を解析することができる。近年の遺伝子組換え技術等の進歩を鑑みれば、各植物個体の遺伝子情報を取得し、解析することは非常に有用である。
【００７６】
図１４は、遺伝子情報解析の工程におけるユーザの作業の一部を表す図である。遺伝子情報の解析を行うに当たり、ユーザは、入力部１０を操作することによって、植物個体を特定し、その植物個体についての遺伝子情報解析を行うことを植物情報管理システム１００に入力する。プロジェクト管理部５７は、この入力を受けて、出力部２０に対し、この植物個体のラベルの内容を読み取ることを促す表示を出力させる。
【００７７】
この指示を受けて、ユーザは、ラベル読取部４０を用いて、遺伝子情報解析の対象となる植物個体のラベルの内容を読み取る（図１４“Ｉｎｐｕｔ”）。プロジェクト管理部５７は、読み取られたラベルに関する植物個体について、解析用ラベルをラベル出力部３０に出力させる。ラベル出力部３０は、プロジェクト管理部５７の指示に従って、解析用ラベルを出力する（図１４“Ｐｒｉｎｔ  ｏｕｔ”）。解析用ラベルには、植物個体の名と栽培場所に関する情報が含まれる。
【００７８】
ユーザは、出力された解析用ラベルを、組織回収用容器に添付する（図１４“Ｐａｓｔｅ”）。ユーザは、解析用試料として植物個体から組織をサンプリングし、解析用ラベルが添付された組織回収用容器に収める。
【００７９】
組織回収用容器としては、１５ｍＬチューブや５０ｍＬチューブ等の分子生物学的実験や生化学的実験において汎用されている容器を使用することができる。また、サンプリングした組織からのＤＮＡ回収及び遺伝子解析も、常法により行うことができる。ユーザは、解析の結果得られた遺伝子情報を、遺伝子情報入力部９０を介して植物情報管理システム１００に入力する。そして、種子データベース管理部５５は、入力された遺伝子情報を、該当する種子と関連付けて種子データベースに登録する。その他、遺伝子解析以外にも、サンプリングされた組織を用いて常法により解析することにより、タンパク質等の発現量や生理活性の有無等の植物個体情報を取得することができる。ユーザは、これらの情報も種子データベースに登録しても良い。
【００８０】
ＤＮＡ回収操作や遺伝子解析操作等の解析操作においては、通常、同一サンプル由来の試料溶液が次々と新たな容器に移し替えられる。このように、実験工程において容器が変わる場合であっても、元の容器と同じ解析用ラベルを貼り続けることにより、試料の取り違えを防止することが期待できる。例えば、組織回収用容器に葉等の組織をサンプリングした後、適当なバッファーを添加してホモジナイズすることにより、組織からバッファー中にＤＮＡを抽出し、さらに遠心分離処理をした後、ＤＮＡを含有している上清を新たな容器に回収する。このとき、ユーザは、上清の回収後速やかに元の組織回収用容器に貼付してある解析用ラベルをはがし、上清を回収した容器に貼付する。なお、度重なる貼り変えにより解析用ラベルが劣化した場合には、ユーザは、ラベル読取部４０を用いて解析用ラベルのバーコードを読み取り、同じ解析用ラベルをラベル出力部３０に再発行させることができる。即ち、ユーザは、入力部１０を操作してラベルの再発行を植物情報管理システム１００に入力し、あわせて解析用ラベルをラベル読取部４０から入力する。プロジェクト管理部５７は、この二つの入力を受けて、同じ解析用ラベルを出力することをラベル出力部３０に指示する。
【００８１】
その他、解析試料数が多く、かつ一の解析試料の容量が２００μＬ以下の微量である場合には、解析用容器として、９６ウェルマルチプレートや３８４ウェルマルチプレート等のマルチプレートが通常用いられる。前述のように、圃場の栽培区画をこれらのマルチプレートの各ウェルに対応させておいた場合には、各植物個体由来の解析試料を、栽培場所に対応したウェル中で解析することができる。例えば、栽培場所が「Ｘ１Ａ１」〜「Ｘ１Ａ１０」である１０個体からサンプリングした葉からＤＮＡを回収し、その後、回収したＤＮＡを用いて９６ウェルマルチプレート上で遺伝子解析を行う場合に、使用するマルチウェルプレート名を「Ｘ１」とし、栽培場所が「Ｘ１Ａ１」である植物個体由来の解析試料はＡ１ウェルに、栽培場所が「Ｘ１Ａ２」である植物個体由来の解析試料はＡ２ウェルに、というように、順次栽培場所の区画番号に対応するウェルに分注し、解析操作を行う。こうすることにより、栽培場所とウェル番号とが、一連の解析工程において齟齬を来たさず、作業上の誤りを抑制することができる。
【００８２】
本発明の植物情報管理システム１００によれば、ある品種の種子について、その種子の親に関する情報、及びその種子が得られる際のプロジェクトの内容が対応付けられて、各データベースに記憶される。種子の親に関する情報は、プロジェクトデータベース及び種子データベースに登録されている。また、プロジェクトの内容は、プロジェクトデータベースに登録されている。そして、プロジェクトデータベースと種子データベースとは、交配により得られた子の種子の名に基づいて関連付けることが可能である。このため、管理されている各品種の種子について、その親に関する情報のみならず、種子が得られる過程についての情報も、容易に取得することが可能となる。ある種子について、その親やさらに上流の先祖の品種が得られる過程について知りたい場合にも同様の効果を奏する。
【００８３】
また、本発明の植物情報管理システム１００によれば、プロジェクト管理部５７の処理により、プロジェクトを進行させるに当たり、前の工程において発行された正しいラベル（言い換えれば、このプロジェクトに関する物に貼付されたラベル）がラベル読取部４０によって読み取られなければ、次の工程において必要となるラベルが出力されない。図１５は、植物情報管理システム１００によって管理される各工程と、各工程において出力されるラベルを表す図である。このように、プロジェクト管理部５７は、各工程において、次工程で必要となるラベルの出力を管理する。このため、誤った種や植物個体等の実験対象物（言い換えれば、当該プロジェクトと関係の無い実験対象物）を用いてプロジェクトの工程進行されることを防止することが可能となる。
【００８４】
また、本発明の植物情報管理システム１００によれば、浸種、播種、移植、遺伝子情報、交配、収穫、種子の管理などの一連の工程において、植物個体や種子などの取り違いを防止することが可能となる。
【００８５】
また、本発明の植物情報管理システム１００では、交配と同様に、自植についての情報もさらに管理されても良い。このように構成されることにより、自植の場合のデータ管理を、交配の場合のデータ管理と一括して行うことが可能となる。
【００８６】
なお、本発明において、発行されるラベルは、通常、容器やタグ等に貼付して用いられるものであり、貼付すべき容器等の大きさによって、該ラベルの大きさはある程度限定されている。そこで、名や栽培区画等の重要な情報のみを文字情報として記載し、残りの情報はバーコード化して記載することにより、プロジェクトデータベースに登録されている膨大な植物個体情報を漏れなく記載することができる。また、バーコードリーダーを用いることにより、圃場や実験室等の容易にプロジェクトデータベースにアクセスできない場所にいる場合であっても、迅速かつ簡便に各植物個体の詳細な植物個体情報を得ることができる。
【００８７】
また、育苗用トレイや圃場においても、植物個体に名等の植物個体情報を記載した定植用ラベルを付しておくことにより、一目でどの植物が栽培されているかを判別することができる。
【００８８】
また、組織回収用容器に、サンプリング対象となる植物個体の栽培場所の情報が明記された解析用ラベルを貼付しておくことにより、解析用ラベル上の情報に対応する植物個体からサンプリングを行えばよいため、サンプリング時の植物個体の取り違え等を抑制することができる。
【００８９】
プロジェクトデータベースは、各工程においてラベル出力部３０によって出力されたラベルの内容をさらに含むように構成されても良い。この場合、制御部５０（プロジェクトデータベース管理部５４）は、ラベル出力部３０によって出力されるラベルの内容を、プロジェクトデータベースに登録するように構成される。
【００９０】
なお、上述した実施形態における植物情報管理システム１００の全部又は一部の機能は、コンピュータで実現されても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９１】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００９２】
【図１】本発明による植物情報管理システムの機能ブロックを示す図である。
【図２】プロジェクトデータベースの内容を示す図である。
【図３】種子データベースの内容を示す図である。
【図４】圃場データベースの内容を示す図である。
【図５】プランニング入力画面の例を示す図である。
【図６】区画マップの画面例を示す図である。
【図７】使用種子情報画面の例を示す図である。
【図８】浸種の工程におけるユーザの作業の一部を表す図である。
【図９】播種の工程におけるユーザの作業の一部を表す図である。
【図１０】移植の工程におけるユーザの作業の一部を表す図である。
【図１１】交配の工程におけるユーザの作業の一部を表す図である。
【図１２】収穫の工程におけるユーザの作業の一部を表す図である。
【図１３】回収・保管の工程におけるユーザの作業の一部を表す図である。
【図１４】遺伝子情報解析の工程におけるユーザの作業の一部を表す図である。
【図１５】植物情報管理システムによって管理される各工程と、各工程において出力されるラベルを表す図である。
【符号の説明】
【００９３】
１０…入力部（種子識別情報入力手段，植物個体識別情報入力手段），  ２０…出力部，  ３０…ラベル出力部，  ４０…ラベル読取部（植物個体識別情報入力手段），  ５０…制御部，  ５１…植物個体識別情報取得部，  ５２…新種子識別情報取得部，  ５３…保管場所情報取得部，  ５４…プロジェクトデータベース管理部，  ５５…種子データベース管理部，  ５６…圃場データベース管理部，  ５７…プロジェクト管理部，  ６０…プロジェクトデータベース記憶部,  ７０…種子データベース記憶部，  ８０…圃場データベース記憶部，  ９０…遺伝子情報入力部，  １００…植物情報管理システム
【図１】
0005337391.tif 000002
【図２】
0005337391.tif 000003
【図３】
0005337391.tif 000004
【図４】
0005337391.tif 000005
【図５】
0005337391.tif 000006
【図６】
0005337391.tif 000007
【図７】
0005337391.tif 000008
【図８】
0005337391.tif 000009
【図９】
0005337391.tif 000010
【図１０】
0005337391.tif 000011
【図１１】
0005337391.tif 000012
【図１２】
0005337391.tif 000013
【図１３】
0005337391.tif 000014
【図１４】
0005337391.tif 000015
【図１５】
0005337391.tif 000016